(57)【要約】  【課題】  他の部材と重ねても大きさの増大を招き難いレンズユニット、および小型化が容易なデジタルカメラを提供する。  【解決手段】  デジタルカメラ(1)は、３つのレンズ群(21,22,23)とプリズム(24)より成り光軸が上下方向を向くように配置された撮像光学系を有する。２つのレンズ群(22,23)は光軸方向に移動可能であり、これらを移動させるモータ(42,43)およびその移動を案内するガイド軸(36,37,38)は、レンズ群(22,23)と共に鏡胴(50)に収容されている。鏡胴(50)は、レンズ群(22,23)を収容する第１の区画(51)とモータ(42,43)を収容する第２の区画(52)を有し、第２の区画(52)は第１の区画(51)よりも薄い。第２の区画(52)に一部が重なるように、表示部(15)を配置する。【選択図】      図２
2005351930.tif 000002
【特許請求の範囲】
【請求項１】
少なくとも１つのレンズ群と、
前記レンズ群を個別に保持する少なくとも１つのレンズ枠と、
前記レンズ枠を前記レンズ群の光軸方向に移動自在に支持するガイド軸と、
前記レンズ枠を個別に移動させる少なくとも１つの駆動部と、
前記レンズ群と前記レンズ枠と前記ガイド軸と前記駆動部を収容し、前記ガイド軸と前記駆動部を支持する鏡胴より成るレンズユニットにおいて、
前記鏡胴が、前記ガイド軸に対して垂直な方向に並ぶ第１の区画と第２の区画を有して、前記レンズ枠を第１の区画に収容し、前記ガイド軸を第１の区画と第２の区画のいずれかに収容し、前記駆動部を第２の区画に収容し、
前記ガイド軸に対して垂直、かつ、第１の区画と第２の区画を結ぶ方向に対して垂直な方向における第２の区画の大きさが、その方向における第１の区画の大きさよりも小さいことを特徴とするレンズユニット。
【請求項２】
複数の駆動部が前記ガイド軸に平行な同一直線上に位置することを特徴とする請求項１に記載のレンズユニット。
【請求項３】
前記駆動部が外周面に螺旋状のねじが形成された駆動軸を有し、前記レンズ枠が前記駆動部の駆動軸のねじに係合するねじを有して、前記駆動部が駆動軸の回転によって前記レンズ枠を移動させることを特徴とする請求項１に記載のレンズユニット。
【請求項４】
前記ガイド軸を２つ有し、一方のガイド軸が第２の区画に収容され、他方のガイド軸が第１の区画に収容されて、前記レンズ群が２つのガイド軸の間に位置することを特徴とする請求項１に記載のレンズユニット。
【請求項５】
第２の区画が前記ガイド軸に平行な方向において第１の区画よりも突出し、前記ガイド軸に平行な方向における第１の区画の延長上かつ第２の区画の側方に、更なるレンズ群を有することを特徴とする請求項１に記載のレンズユニット。
【請求項６】
少なくとも１つのレンズ群と、
前記レンズ群を個別に保持する少なくとも１つのレンズ枠と、
前記レンズ枠を前記レンズ群の光軸方向に移動自在に支持するガイド軸と、
前記レンズ枠を個別に移動させる少なくとも１つの駆動部と、
前記レンズ群と前記レンズ枠と前記ガイド軸と前記駆動部を収容し、前記ガイド軸と前記駆動部を支持する鏡胴と、
前記レンズ群により導かれた光を受けて画像を撮影する撮像素子を備えるデジタルカメラにおいて、
前記鏡胴が、前記ガイド軸に対して垂直な方向に並ぶ第１の区画と第２の区画を有して、前記レンズ枠を第１の区画に収容し、前記ガイド軸を第１の区画と第２の区画のいずれかに収容し、前記駆動部を第２の区画に収容し、
前記レンズ群の光軸に対して垂直、かつ、第１の区画と第２の区画を結ぶ方向に対して垂直な方向における第２の区画の大きさが、その方向における第１の区画の大きさよりも小さいことを特徴とするデジタルカメラ。
【請求項７】
前記ガイド軸を２つ有し、一方のガイド軸が第２の区画に収容され、他方のガイド軸が第１の区画に収容されて、前記レンズ群が２つのガイド軸の間に位置することを特徴とする請求項６に記載のデジタルカメラ。
【請求項８】
前記ガイド軸に対して垂直、かつ、第１の区画と第２の区画を結ぶ方向に対して垂直な方向から見て第２の区画に重なり、第１の区画と第２の区画を結ぶ方向から見て第１の区画に重なる位置に、電池収容部、表示部、記録媒体収容部、回路基板、および操作部のいずれかの少なくとも一部分を有することを特徴とする請求項６に記載のデジタルカメラ。
【請求項９】
携帯式電話機としての機能を有し、
前記ガイド軸に対して垂直、かつ、第１の区画と第２の区画を結ぶ方向に対して垂直な方向から見て第２の区画に重なり、第１の区画と第２の区画を結ぶ方向から見て第１の区画に重なる位置に、携帯式電話機としての機能を有する部材を配置したことを特徴とする請求項６に記載のデジタルカメラ。
【発明の詳細な説明】
【技術分野】
【０００１】
本発明は、可動レンズ群を含むレンズユニットおよびデジタルカメラに関する。
【背景技術】
【０００２】
カメラは撮影対象からの光を結像させるためにいくつかのレンズを備えており、撮影対象からの光に外部の不要な光が混入するのを防止するとともに、一体として取り扱いを容易にするために、レンズは鏡胴に収容されている。また、レンズの中には固定のものと、焦点調節用やズーム用のように、光軸方向に可動のものがある。
【０００３】
従来、鏡胴の内面に螺旋状のねじを設け、レンズを保持するレンズ枠に、鏡胴のねじに係合するねじを設けて、鏡胴を回転させることにより、レンズを光軸方向に移動させるようにしていた。このように鏡胴の回転によってレンズを移動させる構成では、回転する鏡胴は、必然的に円筒状になって、形状が限定される上、可動レンズのレンズ枠全体を収容するに足る大きさを有しなければならず、小型化が難しい。
【０００４】
さらに、可動レンズを駆動するためのモータ等の駆動部を鏡胴内に配置すると、鏡胴の一層の大型化を招くため、駆動部を鏡胴の外部に配置する必要がある。その際、駆動部を鏡胴の側方に配置すれば、鏡胴と駆動部を合わせた全体の大きさが、レンズの光軸に対して垂直な方向に増し、駆動部を鏡胴の延長上に配置すれば、全体の大きさがレンズの光軸方向に増す結果となる。
【０００５】
そこで、螺旋状のねじを外周面に設けた棒状の駆動軸をレンズの光軸に対して平行に配置するとともに、駆動軸のねじに係合するねじをレンズ枠に設けて、駆動軸の回転によりレンズを移動させることが行われるようになっている。この場合、光軸の傾きや位置ずれを防止する必要があり、そのために、レンズの光軸に平行なガイド軸を設け、ガイド軸を通す貫通孔をレンズ枠に設けるのが一般的である。この構成では、鏡胴の形状に制約がなく、駆動軸やガイド軸と共に、駆動軸を回転させる駆動部を鏡胴内に配置することができて、全体としての大きさを抑えることが容易になる。
【０００６】
特開平８−２９２３５８号公報では、焦点調節用のレンズを駆動する駆動部と、ズーム用のレンズを駆動する駆動部を備えながら、これら２つの駆動部を同一直線上に配置することにより、レンズの光軸に対して垂直な方向の大きさを抑えるようにしている。
【特許文献１】特開平８−２９２３５８号公報
【０００７】
一般に、カメラはレンズの光軸が前後方向（カメラと撮影対象を結ぶ方向）を向くように設定されているが、この設定では、カメラの厚さ（前後方向の大きさ）を抑えることが難しい。そこで、近年では、レンズの光軸をプリズムやミラーによって直角に折り曲げることにより、レンズの光軸の大部分を前後方向に対して垂直に設定することが提案されている。この設定では、理論上、カメラの厚さを最大のレンズの直径よりも少し大きい程度にまで抑えることができる。上記公報には鏡胴の形状についての言及はないが、鏡胴内に可動レンズの駆動部を配置する場合は、レンズの光軸方向から見た鏡胴の断面を長方形として、前後方向に対して垂直な方向に駆動部とレンズとを並べるようにすれば、カメラの厚さを最小とすることが可能である。
【発明の開示】
【発明が解決しようとする課題】
【０００８】
しかしながら、カメラはレンズやその鏡胴以外にも多くの部材を有しているため、レンズの光軸の大部分を前後方向に対して垂直に設定して薄型化を図ると、他の部材の存在により、前後方向に対して垂直な方向の大きさが増す結果となる。例えば、デジタルカメラでは、撮影した画像を表示するために液晶表示器等の表示装置が設けられるが、鏡胴と表示装置が前後方向に重ならないようにすると、左右方向または上下方向の大きさを、表示装置の大きさと鏡胴の大きさの和以上にしなければならなくなる。鏡胴の断面を長方形にし、鏡胴と表示装置を前後に重なるようにすれば、当然、カメラの厚さは鏡胴と表示装置の厚さの和以上となってしまう。
【０００９】
本発明はこのような問題点に鑑みてなされたもので、他の部材と重ねても大きさの増大を招き難いレンズユニット、および、小型化が容易なデジタルカメラを提供することを目的とする。
【課題を解決するための手段】
【００１０】
上記目的を達成するために、本発明では、少なくとも１つのレンズ群と、前記レンズ群を個別に保持する少なくとも１つのレンズ枠と、前記レンズ枠を前記レンズ群の光軸方向に移動自在に支持するガイド軸と、前記レンズ枠を個別に移動させる少なくとも１つの駆動部と、前記レンズ群と前記レンズ枠と前記ガイド軸と前記駆動部を収容し、前記ガイド軸と前記駆動部を支持する鏡胴より成るレンズユニットにおいて、前記鏡胴が、前記ガイド軸に対して垂直な方向に並ぶ第１の区画と第２の区画を有して、前記レンズ枠を第１の区画に収容し、前記ガイド軸を第１の区画と第２の区画のいずれかに収容し、前記駆動部を第２の区画に収容し、前記ガイド軸に対して垂直、かつ、第１の区画と第２の区画を結ぶ方向に対して垂直な方向における第２の区画の大きさが、その方向における第１の区画の大きさよりも小さい構成とする。
【００１１】
このレンズユニットの鏡胴は、レンズと共にレンズ枠を収容する第１の区画と、駆動部を収容する第２の区画とを有するが、両区画を結ぶ方向に垂直かつレンズ群の光軸に垂直な方向における大きさは、第１の区画と第２の区画とで同じではなく、第２の区画の方が小さい。したがって、他の部材と重ねる場合に、鏡胴の第２の区画で重ねることで、重なり方向についての全体の大きさの増大を抑え、または皆無にすることができる。
【００１２】
ここで、複数の駆動部が前記ガイド軸に平行な同一直線上に位置する設定とするとよい。このようにすると、第１の区画と第２の区画を結ぶ方向についての大きさを、駆動部の数によらず、小さくすることができる。
【００１３】
前記駆動部が外周面に螺旋状のねじが形成された駆動軸を有し、前記レンズ枠が前記駆動部の駆動軸のねじに係合するねじを有して、前記駆動部が駆動軸の回転によって前記レンズ枠を移動させる構成とするとすることも可能である。
【００１４】
前記ガイド軸を２つ有し、一方のガイド軸が第２の区画に収容され、他方のガイド軸が第１の区画に収容されて、前記レンズ群が２つのガイド軸の間に位置する構成とするとよい。このようにすると、大型化を抑えながら、レンズ枠の姿勢を安定させることができる。
【００１５】
第２の区画が前記ガイド軸に平行な方向において第１の区画よりも突出し、前記ガイド軸に平行な方向における第１の区画の延長上かつ第２の区画の側方に、更なるレンズ群を有する構成とすることもできる。
【００１６】
前記目的を達成するために、本発明ではまた、少なくとも１つのレンズ群と、前記レンズ群を個別に保持する少なくとも１つのレンズ枠と、前記レンズ枠を前記レンズ群の光軸方向に移動自在に支持するガイド軸と、前記レンズ枠を個別に移動させる少なくとも１つの駆動部と、前記レンズ群と前記レンズ枠と前記ガイド軸と前記駆動部を収容し、前記ガイド軸と前記駆動部を支持する鏡胴と、前記レンズ群により導かれた光を受けて画像を撮影する撮像素子を備えるデジタルカメラにおいて、前記鏡胴が、前記ガイド軸に対して垂直な方向に並ぶ第１の区画と第２の区画を有して、前記レンズ枠を第１の区画に収容し、前記ガイド軸を第１の区画と第２の区画のいずれかに収容し、前記駆動部を第２の区画に収容し、前記レンズ群の光軸に対して垂直、かつ、第１の区画と第２の区画を結ぶ方向に対して垂直な方向における第２の区画の大きさが、その方向における第１の区画の大きさよりも小さい構成とする。
【００１７】
このデジタルカメラの鏡胴は、レンズ枠を収容する第１の区画よりも駆動部を収容する第２の区画の方が、両者を結ぶ方向に垂直かつレンズの光軸に垂直な方向において、小さい。したがって、鏡胴の第２の区画に他の部材を重ねることで、その重なり方向における鏡胴と他の部材を合わせた全体の大きさの増大を抑えながら、第１の区画と第２の区画を結ぶ方向の大きさを小さくすることができる。
【００１８】
ここで、前記ガイド軸を２つ有し、一方のガイド軸が第２の区画に収容され、他方のガイド軸が第１の区画に収容されて、前記レンズ群が２つのガイド軸の間に位置する構成とするとよい。このようにすると、大型化を抑えながら、レンズ枠の姿勢を安定させることができる。
【００１９】
また、前記ガイド軸に対して垂直、かつ、第１の区画と第２の区画を結ぶ方向に対して垂直な方向から見て第２の区画に重なり、第１の区画と第２の区画を結ぶ方向から見て第１の区画に重なる位置に、電池収容部、表示部、記録媒体収容部、回路基板、および操作部のいずれかの少なくとも一部分を有する構成とすることも可能である。
【００２０】
上記デジタルカメラは、携帯式電話機としての機能を有し、前記ガイド軸に対して垂直、かつ、第１の区画と第２の区画を結ぶ方向に対して垂直な方向から見て第２の区画に重なり、第１の区画と第２の区画を結ぶ方向から見て第１の区画に重なる位置に、携帯式電話機としての機能を有する部材を配置した構成とすることもできる。
【発明の効果】
【００２１】
本発明のレンズユニットでは、鏡胴の第１の区画と第２の区画の大きさが、両区画を結ぶ方向に垂直かつレンズ群の光軸に垂直な方向において、同じではなく、第２の区画の方が小さいため、他の部材を第２の区画に重ねることで、その重なり方向における全体の大きさの増大を抑え、または皆無にすることができる。
【００２２】
また、本発明のデジタルカメラでも、鏡胴の第１の区画と第２の区画の大きさが、両区画を結ぶ方向に垂直かつレンズ群の光軸に垂直な方向において、同じではなく、第２の区画の方が小さいため、他の部材を第２の区画に重ねることで、その重なり方向における鏡胴と他の部材を合わせた全体の大きさの増大を抑えながら、第１の区画と第２の区画を結ぶ方向の大きさを小さくすることができる。したがって、コンパクトなデジタルカメラとなる。
【発明を実施するための最良の形態】
【００２３】
以下、本発明の実施形態について図面を参照しながら説明する。第１の実施形態であるデジタルカメラ１の外観を図１に模式的に示す。図１において、（ａ）は正面図、（ｂ）は背面図であり、点線は後述する内部の鏡胴を表している。
【００２４】
デジタルカメラ１は、最も短い辺が他の辺の数分の１程度の大きさの概ね直方体状の筐体１０を有しており、通常の撮影時には、筐体１０の最も短い辺の方向（図１の紙面に垂直な方向）が前後方向、最も長い辺の方向（図１の左右方向）が左右方向、それらの間の長さの辺の方向（図１の上下方向）が上下方向を向く状態で、使用者に把持されるように設定されている。以下、この状態を基準として、前後、左右、上下の各方向を定める。なお、デジタルカメラ１が撮影する範囲は長方形であり、通常の撮影とは、正立した使用者が、正面の横に長い長方形の範囲を、横に長く撮影することをいう。
【００２５】
デジタルカメラ１は、前面に、対物窓１１、ファインダー前窓１２ａ、フラッシュ発光部１３、セルフタイマーランプ１４、背面に、ファインダー後窓１２ｂ、表示部１５、モード設定スイッチ１６、カーソルボタン１７、複数の操作キー１８、上面に、レリーズボタン１９を備えている。
【００２６】
対物窓１１は開閉可能であり、対物窓１１を開くと、後述の撮像光学系に含まれる第１のレンズ群が露出する。ファインダー窓１２ａ、１２ｂは撮影対象の光学像を提供し、フラッシュ発光部１３は撮影対象を照明するフラッシュ光を発する。セルフタイマーランプ１４は、セルフタイマー撮影の準備が進行中であることを点灯により示す。
【００２７】
表示部１５は液晶表示器から成り、撮影した画像のほか、デジタルカメラ１の設定状況、操作案内等の諸情報を表示する。モード設定スイッチ１６は、スライド式であり、デジタルカメラ１の動作モードの設定に用いられる。デジタルカメラ１は、静止画を撮影して記録する静止画撮影モードと、動画を撮影して記録する動画撮影モードと、記録している画像を再生表示する再生モードを有しており、モード設定スイッチ１６の近傍には各モードを表すマークが記されている。
【００２８】
カーソルボタン１７は、上下左右に４つの接点を有しており、表示部１５に表示されるカーソルの移動に用いられる。デジタルカメラ１は、撮像光学系としてズームレンズを備えており、カーソルボタン１７はその焦点距離の調節にも使用される。操作キー１８は、表示部１５に表示する項目の切り換え、表示した項目の選択等、デジタルカメラ１の機能に関する設定に用いられる。レリーズボタン１９は２段階で動作し、記録する画像の撮影の準備の指示と、記録する画像の撮影の指示に用いられる。デジタルカメラ１は自動焦点調節（ＡＦ）と自動露光制御（ＡＥ）の機能を有しており、撮影の準備ではＡＦとＡＥを行う。
【００２９】
デジタルカメラ１の内部構成を図２および図３に模式的に示す。図２は、撮像光学系の焦点距離を最も短くした状態を表したものであり、図３は、撮像光学系の焦点距離を最も長くした状態を表したものである。これらの図において、（ａ）は正面断面図、（ｂ）は平面断面図、（ｃ）、（ｄ）はそれぞれ側面断面図である。なお、（ａ）、（ｂ）では、単一の面での断面図に別の面上の一部の構成要素を重ねて表している。
【００３０】
デジタルカメラ１は、筐体１０内に、第１のレンズ群２１、第２のレンズ群２２、第３のレンズ群２３およびプリズム２４より成る撮像光学系と、ＣＣＤエリアセンサ等の撮像素子２５とを備えており、撮影対象からの光を撮像光学系によって撮像素子２５上に結像させるとともに、撮像素子２５によって光を電気信号に変換することによって、撮影を行う。撮像光学系および撮像素子２５は、筐体１０の左右方向の端部付近に配設されている。
【００３１】
撮像素子２５が出力する信号は、不図示の回路によって処理されて、撮影した画像を表す画像データとされる。画像データは着脱可能な記録媒体２６ａに記録することができる。筐体１０の内部には、記録媒体２６ａを収容するための記録媒体収容室２６と、電力で動作する各部に電力を供給する電池２７ａを収容するための電池収容室２７が設けられている。
【００３２】
撮像素子２５は筐体１０に固定されている。第３のレンズ群２３は第１のレンズ群２１と撮像素子２５の間に配置されており、第２のレンズ群２２は第１のレンズ群２１と第３のレンズ群２３の間に配置されている。なお、図２では、第２のレンズ群２２と第３のレンズ群２３をそれぞれ１つのレンズとして表しているが、これらのレンズ群２２、２３は、いずれも複数のレンズより成る。
【００３３】
第１のレンズ群２１に含まれる一部のレンズ群２１ａは、その光軸が前後方向を向くように設定されており、第１のレンズ群２１に含まれる他のレンズ群２１ｂは、その光軸がレンズ群２１ａの光軸と直交し、上下方向を向くように設定されている。
【００３４】
プリズム２４は、断面が直角二等辺三角形の三角プリズムであり、互いに直交する２つの面の一方がレンズ群２１ａに対向し、他方がレンズ群２１ｂに対向し、さらに、斜面が、レンズ群２１ａの光軸とレンズ群２１ｂの光軸との交点上に位置し、かつ、レンズ群２１ａの光軸とレンズ群２１ｂの光軸に対して４５゜を成すように配置されている。また、第１のレンズ群２１とプリズム２４は筐体１０に固定されている。
【００３５】
第２のレンズ群２２と第３のレンズ群２３は、各々の光軸がレンズ群２１ｂの光軸と一致するように設定されている。したがって、撮像光学系全体としての光軸は、途中でプリズム２４によって９０゜折り曲げられて、大部分が上下方向を向く設定となっている。なお、プリズム２４は、レンズ群２１ａを透過して入射する撮影対象からの光を、斜面によって全反射してレンズ群２１ｂに導く。プリズム２４の斜面に反射膜を設けておいてもよい。
【００３６】
第２のレンズ群２２と第３のレンズ群２３はいずれも、光軸方向に移動可能である。第２のレンズ群２２の移動によってズーミングすなわち焦点距離の変更が行われ、第３のレンズ群２３の移動によってフォーカシングすなわち撮影対象に対する焦点の調節が行われる。第２のレンズ群２２はレンズ枠３２に保持されており、第３のレンズ群２３はレンズ枠３３に保持されている。
【００３７】
デジタルカメラ１は、第２のレンズ群２２をレンズ枠３２と共に移動させるためのモータ４２と、第３のレンズ群２３をレンズ枠３３と共に移動させるためのモータ４３を備えており、また、第２のレンズ群２２および第３のレンズ群２３を支持して、それらの光軸方向への移動を案内するガイド軸３６、３７、３８を備えている。これらのガイド軸３６、３７、３８は、外周面が平滑な円柱状であり、また、第２のレンズ群２２の光軸および第３のレンズ群２３の光軸に対して平行である。ガイド軸３７は、第２のレンズ群２２に関してガイド軸３６の反対側に位置し、ガイド軸３８は、第３のレンズ群２３に関してガイド軸３６の反対側に位置する。また、ガイド軸３７、３８は、同一直線上に位置する。
【００３８】
第２のレンズ群２２を保持するレンズ枠３２には、ガイド軸３６が貫通する傾倒防止部３２ａと、ガイド軸３７を挟む回転防止部３２ｂが設けられている。
【００３９】
傾倒防止部３２ａは、ガイド軸３６の外径よりも僅かに大きい内径を有する円筒状であり、その内周面は平滑である。傾倒防止部３２ａは、その内周面の全体が、貫通しているガイド軸３６の外周面に接して、ガイド軸３６に平行な方向へのレンズ枠３２の円滑な移動を可能にしながら、ガイド軸３６に対するレンズ枠３２の傾倒を防止する。これで、第２のレンズ群２２の姿勢が常に一定に保たれて、その光軸はガイド軸３６に対して常時平行になる。
【００４０】
回転防止部３２ｂは、ガイド軸３７の外径よりも僅かに大きい幅で離間した２本の棒状であり、その内面は平滑である、回転防止部３２ｂは、内面の２点でガイド軸３７に接して、ガイド軸３７に平行な方向へのレンズ枠３２の円滑な移動を可能にしながら、ガイド軸３６を中心として回転しようとするレンズ枠３２の動きを規制する。これで、第２のレンズ群２２の光軸が、固定されている第１のレンズ群２１のレンズ群２１ｂの光軸に常に一致する。
【００４１】
ガイド軸３６に摺接する傾倒防止部３２ａは、第２のレンズ群２２の移動範囲に制約をもたらさない範囲内で、ガイド軸３６に沿ってできるだけ長く作製されている。したがって、ガイド軸３６の外径や傾倒防止部３２ａの内径に多少の誤差が生じたとしても、第２のレンズ群２２の光軸の傾倒はごく僅かに抑えられる。また、ガイド軸３６とガイド軸３７（傾倒防止部３２ａと回転防止部３２ｂ）は第２のレンズ群２２を挟んで互いに反対側に位置し、両者間の距離は長い。したがって、ガイド軸３７の外径や回転防止部３２ｂの離間幅に多少の誤差が生じたとしても、第２のレンズ群２２の光軸の位置ずれはごく僅かに抑えられる。
【００４２】
第３のレンズ群２３を保持するレンズ枠３３にも、ガイド軸３６が貫通する傾倒防止部３３ａと、ガイド軸３８を挟む回転防止部３３ｂが設けられている。これらの傾倒防止部３３ａと回転防止部３３ｂの構成および機能は、上記の傾倒防止部３２ａと回転防止部３２ｂのものと同様である。
【００４３】
第２のレンズ群２２を保持するレンズ枠３２を移動させるモータ４２の回転軸には、外周面に螺旋状のねじが形成された円柱状の駆動軸４７が結合されており、第３のレンズ群２３を保持するレンズ枠３３を移動させるモータ４３の回転軸にも、外周面に螺旋状のねじが形成された円柱状の駆動軸４８が結合されている。これらの駆動軸４７、４８はガイド軸３６、３７、３８と平行であり、互いに同一直線上に位置する。レンズ枠３２には、駆動軸４７のねじに係合するねじが形成された係合部３２ｃが設けられており、レンズ枠３３にも、駆動軸４８のねじに係合するねじが形成された係合部３３ｃが設けられている。
【００４４】
モータ４２の回転軸の回転に伴って駆動軸４７が回転し、その回転がねじを介して係合部３２ｃに伝わり、レンズ枠３２がガイド軸３６、３７に沿って移動する。同様に、モータ４３の回転軸の回転に伴って駆動軸４８が回転し、その回転がねじを介して係合部３３ｃに伝わり、レンズ枠３３がガイド軸３６、３８に沿って移動する。
【００４５】
第２のレンズ群２２、第３のレンズ群２３、レンズ枠３２、３３、モータ４２、４３、駆動軸４７、４８、およびガイド軸３６、３７、３８は全て、単一の鏡胴５０に収容されている。鏡胴５０は、第１のレンズ群２１に対向する部位と、撮像素子２５に対向する部位に開口を有しており、他の部位は閉じられている。また、鏡胴５０は、第１の区画５１と第２の区画５２を有している。これら２つの区画５１、５２は連通している。
【００４６】
第１の区画５１は、レンズ群２２、２３、レンズ枠３２、３３、およびガイド軸３７、３８を収容し、ガイド軸３７、３８を支持する。第２の区画５２は、モータ４２、４３、駆動軸４７、４８、およびガイド軸３６を収容し、モータ４２、４３、およびガイド軸３６を支持する。なお、レンズ枠３２、３３の大部分は第１の区画５１に収容されているが、一部は第２の区画５２に達し、傾倒防止部３２ａ、３３ａおよび係合部３２ｃ、３３ｃは第２の区画５２に収容されている。
【００４７】
図２、図３の（ｂ）より明らかなように、第２のレンズ群２２（または第３のレンズ群２３）の光軸に対して垂直な断面での形状は、第１の区画５１も第２の区画５２も概ね長方形であるが、鏡胴５０全体としては長方形ではない。第２のレンズ群２２（または第３のレンズ群２３）の光軸に対して垂直、かつ、第１の区画５１と第２の区画５２を結ぶ方向に対して垂直な方向（つまり前後方向）において、第１の区画５１の大きさと第２の区画５２の大きさは相違し、第２の区画の方が第１の区画よりも小さい。
【００４８】
第１の区画５１の前端と第２の区画５２の前端は一致しており、したがって、第２の区画５２の後方かつ第１の区画５１の側方には、鏡胴５０によって占められることのない空間が存在する。デジタルカメラ１では、この空間に一部分が位置するように表示部１５を配設しており、第１の区画５１と第２の区画５２を結ぶ方向（つまり左右方向）における第２の区画５２の大きさだけ、筐体１０の左右方向の大きさを抑えている。表示部１５の前後方向の大きさは、第１の区画５１と第２の区画５２の前後方向の大きさの差以下であり、表示部１５と鏡胴５０とが前後方向に重なった構成でありながら、筐体１０の前後方向の大きさの増大も防止されている。
【００４９】
第２のレンズ群２２（または第３のレンズ群２３）の光軸に平行な方向（つまり上下方向）における第１の区画５１の大きさは第２の区画５２の大きさよりも小さく、第１の区画５１の下端と第２の区画５２の下端は一致している。したがって、第１の区画５１の上方かつ第２の区画５２の側方には、鏡胴５０によって占められることのない空間が存在する。第１のレンズ群２１およびプリズム２４は、この空間に配置されている。
【００５０】
第２のレンズ群２２を保持するレンズ枠３２を移動させるためのモータ４２は、第１のレンズ群２１およびプリズム２４の側方に配置されており、したがって、駆動軸４７として長いものを採用することができる。駆動軸４７を長くすることで、ズーミングを司る第２のレンズ群２２の移動範囲を大きくすることができて、撮影倍率を大きく変化させることが可能になる。また、傾倒防止部３２ａ、３３ａを長くすることができ、第２のレンズ群２２や第３のレンズ群２３の姿勢の安定性を向上させることができる。
【００５１】
前述のように２つの駆動軸４７、４８は同一直線上に位置し、したがって、モータ４２、４３も同一直線上に位置する。このように設定したことで、２つのモータ４２、４３を備えながらも、第１の区画５１と第２の区画５２を結ぶ方向（つまり左右方向）における筐体１０の大きさは、単一のモータのみを備える場合と同じになっている。また、ガイド軸３６はレンズ群２２、２３とモータ４２、４３の間に配置されており、前後方向においてはガイド軸３６とモータ４２、４３は重ならない。これにより、第２の区画５２を第１の区画５１よりも前後方向について小さくすることが容易になっている。
【００５２】
デジタルカメラ１は、表示部１５の一部と鏡胴５０とを前後に重ねたことにより、左右方向の小型化が達成されている。しかも、鏡胴５０の第２の区画５２を第１の区画５１よりも前後方向に小さい構成として、第２の区画５２に表示部１５を重ねたので、筐体１０の前後方向の大きさの増大は皆無であり、前後方向の薄型化も確保されている。
【００５３】
以下、他の実施形態について説明するが、第１の実施形態のデジタルカメラ１の構成要素と同一または類似の構成要素については同じ符号で表して、重複する説明は省略し、相違点についてのみ述べる。また、以下の説明で参照する図４〜図６において、（ａ）は正面断面図、（ｂ）は平面断面図、（ｃ）、（ｄ）はそれぞれ側面断面図であり、（ａ）、（ｂ）では、単一の面での断面図に別の面上の一部の構成要素を重ねて表している。撮像光学系は焦点距離が最も短い状態にある。
【００５４】
第２の実施形態のデジタルカメラ２の内部構成を図４に模式的に示す。デジタルカメラ２は、デジタルカメラ１を修飾して、鏡胴５０を筐体１０内の左右方向の中央付近に配設したものである。鏡胴５０の第２の区画５２の後方かつ第１の区画５１の側方には、記録媒体収容室２６の一部が配置されている。表示部１５は鏡胴５０に関して記録媒体収容室２６の反対側に位置する。
【００５５】
第１の区画５１は、第２のレンズ群２２（第３のレンズ群２３）の光軸方向から見て長方形ではなく、後部かつ第２の区画５２から遠い側の端部が前方に窪むように構成されている。この窪みによって生じた空間に端部が位置するように表示部１５は配置されており、記録媒体収容室２６と表示部１５が同一平面上に位置する構成でありながら、筐体１０の左右方向の大きさの増大が抑えられている。
【００５６】
第３の実施形態のデジタルカメラ３の内部構成を図５に模式的に示す。デジタルカメラ３は、鏡胴５０の第１の区画５１と第２の区画５２の位置をデジタルカメラ１とは逆にしたものである。鏡胴５０の第２の区画５２の後方かつ第１の区画５１の側方には、前述の操作キー１８（図１）と、それらの電気的接点を設けた回路基板２８が配置されている。
【００５７】
第４の実施形態のデジタルカメラ４の内部構成を図６に模式的に示す。デジタルカメラ４は、デジタルカメラ１からプリズム２４を省略するとともに、第１のレンズ群２１に含まれるレンズ群２１ａの光軸をレンズ群２１ｂの光軸と一致させて、撮像光学系の光軸を折り曲げることなく一直線としたものである。
【００５８】
デジタルカメラ４は、通常の撮影時には、概ね直方体状の筐体１０の最も短い辺の方向（図６（ａ）の紙面に垂直な方向）が上下方向、最も長い辺の方向（図６（ａ）の左右方向）が左右方向、それらの間の長さの辺の方向（図６（ａ）の上下方向）が前後方向を向く状態で、使用者に把持されることになる。したがって、上下方向に薄い構成である。
【００５９】
なお、上記の各実施形態では、表示部１５、記録媒体収容部２６、操作キー２８、およびその回路基板２８を、第２の区画５２に重ねた例を掲げたが、デジタルカメラに含まれる他の構成要素を第２の区画５２に重ねることも可能である。例えば、撮像素子２５の出力を処理して画像を表す画像データを生成する画像処理部や、全体の動作を制御する制御部が設けられた回路基板を、第２の区画５２に重ねるようにしてもよいし、薄型の電池を採用して、その電池収納部を第２の区画５２に重ねるようにしてもよい。また、第１〜第３の実施形態では、通常の撮影時に、撮像光学系の光軸の大部分が上下方向を向く設定としたが、光軸の大部分が左右方向を向く設定とすることも可能である。
【００６０】
第５の実施形態である携帯式電話機７の外観を図７に模式的に示す。図７において、（ａ）は携帯式電話機７の全体の斜視図、（ｂ）は一部分の背面図である。携帯式電話機７は、２つの筐体７１、７２をヒンジ部７３で連結した折り畳み式の構成である。
【００６１】
筐体７１の内面（折り畳んだときに筐体７２に対向する面）には、電話番号の入力や機能の選択のために操作される複数の操作キー７４と、マイクロフォン用の開口７５が設けられている。筐体７１には、操作キー７４の接点が設けられた基板とマイクロフォンが内蔵されている。
【００６２】
筐体７２の内面には、液晶表示器から成る表示部７６と、スピーカ用の開口７７が設けられており、筐体７２の端部には伸縮可能なアンテナ７８が設けられている。また、筐体７２には、通信に関する機能を司る諸回路が設けられた回路基板と、スピーカ７９が内蔵されている。
【００６３】
図７の（ｂ）は外面側から見た筐体７２の一部である。携帯式電話機７はデジタルカメラの機能も有しており、筐体７２の外面にはデジタルカメラの対物窓８０が設けられている。
【００６４】
携帯式電話機７が有するデジタルカメラの撮像光学系およびこれを収容する鏡胴５０は、第１〜第３の実施形態のデジタルカメラ１〜３のものと同様の構成であり、折り曲げられた光軸の大部分が左右方向（図７（ｂ）の左右方向）を向くように、筐体７２の内部の上端付近に配置されている。鏡胴５０は、前述のように、第１の区画５１とそれよりも薄い第２の区画５２を有し、撮像光学系を収容した第１の区画５１が、モータ等を収容した第２の区画よりも端寄りに位置するように配置されている。
【００６５】
スピーカ７９は第２の区画５２に重ねて配置されており、表示部７６の端部も第２の区画５２に重ねて配置されている。このように、表示部７６の一部やスピーカ７９を鏡胴５０の第２の区画５２に重ねることで、厚さの増大を招くことなく筐体７２の小型化を達成することが容易になる。
【００６６】
なお、ここでは、スピーカ７９と表示部７６とを第２の区画５２に重ねた例を示したが、携帯式電話機の機能に関する他の部材、例えば回路基板を第２の区画５２に重ねるようにしてもよい。
【図面の簡単な説明】
【００６７】
【図１】第１の実施形態のデジタルカメラの外観を模式的に示す正面図（ａ）および背面図（ｂ）。
【図２】第１の実施形態のデジタルカメラの内部構成を模式的に示す断面図。
【図３】第１の実施形態のデジタルカメラの内部構成を模式的に示す断面図。
【図４】第２の実施形態のデジタルカメラの内部構成を模式的に示す断面図。
【図５】第３の実施形態のデジタルカメラの内部構成を模式的に示す断面図。
【図６】第４の実施形態のデジタルカメラの内部構成を模式的に示す断面図。
【図７】第５の実施形態の携帯式電話機の外観を模式的に示す斜視図（ａ）および背面図（ｂ）。
【符号の説明】
【００６８】
１〜４  デジタルカメラ
１０    筐体
１１    対物窓
１２ａ  ファインダー前窓
１２ｂ  ファインダー後窓
１３    フラッシュ発光部
１４    セルフタイマーランプ
１５    表示部
１６    モード設定スイッチ
１７    カーソルボタン
１８    操作キー
１９    レリーズボタン
２１    第１のレンズ群
２１ａ、２１ｂ  レンズ群
２２    第２のレンズ群
２３    第３のレンズ群
２４    プリズム
２５    撮像素子
２６    記録媒体収容室
２６ａ  記録媒体
２７    電池収容室
２７ａ  電池
２８    基板
３２、３３  レンズ枠
３２ａ、３３ａ  傾倒防止部
３２ｂ、３３ｂ  回転防止部
３２ｃ、３３ｃ  係合部
４２、４３  モータ
３６、３７、３８  ガイド軸
４７、４８  駆動軸
５０    鏡胴
５１    第１の区画
５２    第２の区画
５    携帯式電話機
７１、７２  筐体
７３    ヒンジ部
７４    操作キー
７５    マイクロフォン用開口
７６    表示部
７７    スピーカ用開口
７８    アンテナ
７９    スピーカ
８０    対物窓
【図１】
2005351930.tif 000003
【図２】
2005351930.tif 000004
【図３】
2005351930.tif 000005
【図４】
2005351930.tif 000006
【図５】
2005351930.tif 000007
【図６】
2005351930.tif 000008
【図７】
2005351930.tif 000009